【手続補正書】
【提出日】平成16年3月26日(2004.3.26)
【手続補正１】
【補正対象書類名】明細書
【補正対象項目名】特許請求の範囲
【補正方法】変更
【補正の内容】
【特許請求の範囲】
【請求項１】
サーバ装置と、クライアント装置と、サーバ装置とクライアント装置間のデータ通信を中継するデータ処理中継装置とからなるサービスシステムであって、
前記サーバ装置は、
前記クライアント装置に提供するデータと前記データの処理方法を指示するデータ処理制御情報とからなる拡張データを生成する拡張データ生成手段と、
前記拡張データを前記クライアント装置が発行したデータ要求に対する応答として送出する手段と、を備え、
前記データ処理中継装置は、
前記クライアント装置から前記サーバ装置への前記データ要求を受け付け、前記サーバ装置に転送する手段と、
前記データ要求に対する前記応答として前記サーバ装置から受け付けた前記拡張データを、当該拡張データに付加された前記データ処理制御情報に従って処理し、処理結果データを出力するデータ処理部と、
前記データ処理部が出力する処理結果データを、前記データ要求に対する応答データとして前記クライアント装置に送出する手段と，を備える
ことを特徴とするサービスシステム。
【請求項２】
請求項１において、
前記データ処理中継装置は、当該データ処理中継装置が、前記サーバ装置から受け付けた拡張データを記憶する記憶部を持ち、前記クライアント装置から受信したデータ要求に対応する前記拡張データが、前記記憶部に記憶済みの場合は、前記データ処理部は、前記拡張データとして、前記記憶部に記憶済みの前記拡張データを用いる
ことを特徴とするサービスシステム。
【請求項３】
請求項１または請求項２において、
前記サーバ装置は、前記拡張データを保持する手段を備え、
前記サーバ装置の前記送出する手段は、前記保持された前記拡張データを前記応答として送出する
ことを特徴とするサービスシステム。
【請求項４】
請求項１または請求項２において、
前記サーバ装置の前記拡張データ生成手段は、前記データ処理中継装置から受け付けた前記データ要求に応答して前記拡張データを生成する
ことを特徴とするサービスシステム。
【請求項５】
請求項１ないし請求項４いずれか一において、さらに、
前記クライアント装置のユーザを識別認証するためのユーザ認証情報を含むユーザ管理情報をユーザ毎に管理するユーザ管理サーバを備え、
前記クライアント装置は、ユーザの認証情報を、前記データ要求に含める手段を備え、
前記データ処理中継装置は、前記サービス要求に含まれる前記ユーザ認証情報と、前記ユーザ管理サーバに登録されたユーザ管理情報のユーザ認証情報を用いて、前記ユーザを認証するユーザ認証部を備え、
前記サーバ装置の前記拡張データ生成手段は、前記データ要求に応じた前記拡張データのデータ処理制御情報に、ユーザ別制御情報を含め、
前記データ処理中継装置の前記データ処理部は、前記ユーザ別制御情報と、前記ユーザ認証結果とを用いて、前記クライアント装置のユーザに対応した前記要求されたデータの処理方法を決定する
ことを特徴とするサービスシステム。
【請求項６】
請求項５において、さらに、
前記データ処理中継装置と通信回線にて接続され、前記ユーザに対する課金情報であるユーザ課金情報を管理する課金管理装置を備え、
前記サーバ装置の前記拡張データ生成手段は、前記データ処理制御情報に、前記要求されたデータに対する課金情報を指定した課金指示情報を含め、
前記データ処理中継装置のデータ処理部は、上記認証部で認証した前記クライアント装置のユーザに対し、前記応答データを送信するとともに、上記課金指示情報に従い、該ユーザに対する該応答データに係わる課金情報を上記課金管理装置に送付し、
前記課金管理装置は、前記ユーザへの課金処理を行う
ことを特徴とするサービスシステム。
【請求項７】
請求項６において、
前記サーバ装置の前記拡張データ生成手段は、前記ユーザを指定する情報を、前記要求されたデータに対する課金情報と対応づけて、前記課金指示情報に含める
ことを特徴とするサービスシステム。
【請求項８】
請求項６において、
前記サーバ装置の前記拡張データ生成手段は、課金指示情報として、課金範囲情報を指定し、
前記データ処理中継装置のデータ処理部は、前記課金範囲情報を用いて前記課金情報を決定する
ことを特徴とするサービスシステム。
【請求項９】
請求項１ないし請求項８いずれか一において、
前記サーバ装置の前記拡張データ生成手段は、拡張データのデータ処理制御情報として、前記要求されたデータの指定部分に対して、他のデータによる置換または挿入を指示した指示情報を含め、
前記データ処理中継装置の前記データ処理部は、前記拡張データのデータ処理制御情報の指示情報に従って、前記要求されたデータの指定部分に対して、他のデータによる置換処理または挿入処理を行う
ことを特徴とするサービスシステム。
【請求項１０】
請求項９において、
前記指示情報は、要求されたデータの置換または挿入場所を示した場所情報と、置換または挿入用データを指定するためのデータ種別情報および、データ種別に応じたパラメータを含む
ことを特徴とするサービスシステム。
【請求項１１】
請求項１０において、
前記置換または挿入用データが、前記クライアント装置からのデータ要求を処理した時刻情報であり、
前記データ処理部は、前記データ要求を処理した時刻情報を前記他のデータとして用いる
ことを特徴とするサービスシステム。
【請求項１２】
請求項１０において、
前記クライアント装置は、前記データ要求に、前記クライアント装置のユーザを特定する情報を含め、
前記置換または挿入用データが、前記クライアント装置のユーザを特定する情報であり、
前記データ処理部は、前記データ要求に含まれる前記クライアント装置のユーザを特定する情報を、前記他のデータとして用いる
ことを特徴とするサービスシステム。
【請求項１３】
請求項１０において、
前記置換または挿入用データは、前記データ処理中継装置の前記データ処理部が、あらかじめ用意したアドレス群の中から選択したアドレスである
ことを特徴とするサービスシステム。
【請求項１４】
請求項９において、
前記クライアント装置は前記データ要求にユーザ特定情報を含め前記データ処理中継装置と通信回線にて接続され、前記置換または挿入用のデータを、当該データが対象とするユーザ属性情報と対応づけて管理するデータ情報サーバを備え、
前記ユーザ管理サーバは、ユーザ特定情報と、当該ユーザの属性情報とを対応づけて管理し、
前記データ処理中継装置のデータ処理部は、前記指示情報に従い、前記ユーザ管理サーバを参照して、前記ユーザ特定情報と対応するユーザ属性情報を求め、前記データ情報サーバから、前記ユーザ属性情報に対応する置換又は挿入用データを選択し、前記他のデータとする
ことを特徴とするサービスシステム。
【請求項１５】
請求項９において、
前記クライアント装置は前記データ要求に地域情報を含め、
前記データ処理中継装置と通信回線にて接続され、前記置換または挿入用のデータを、当該データが対象とする地域情報と対応づけて管理するデータ情報サーバを備え、
前記データ処理中継装置のデータ処理部は、前記データ情報サーバから、前記地域情報に対応する置換又は挿入用データを選択し、前記他のデータとする
ことを特徴とするサービスシステム。
【請求項１６】
請求項９において、
前記サーバ装置の前記拡張データ生成手段は、拡張データのデータ処理制御情報として、前記データ処理部に対して所定の演算を行うことの指示情報と、前記要求されたデータの指定部分に対して当該演算結果による置換または挿入を指示する指示情報を含め、
前記データ処理中継装置のデータ処理部は、前記指示情報に従った演算を行う手段と、前記演算結果を、前記指示情報で指定された部分に、置換または挿入を行う手段とを備える
ことを特徴とするサービスシステム。
【請求項１７】
請求項２において、
前記サーバ装置の前記拡張データ生成手段は、前記拡張データの前記データ処理制御情報として、同一のサービス要求の転送先のサーバ装置を示す振分け先指示情報を指定し、
前記データ処理中継装置のデータ処理部は、前記クライアント装置から受信したデータ要求に対応する前記拡張データが、前記記憶部に記憶済みの場合は、前記拡張データに対して指定されている振分け先指示情報に従い、転送先のサーバ装置を選択する手段と、前記選択した転送先のサーバ装置に、前記データ要求を転送する手段を備える
ことを特徴とするサービスシステム。
【請求項１８】
請求項１ないし請求項４いずれか一において、
前記サーバ装置の前記拡張データ生成手段は、前記拡張データの前記データ処理制御情報として、通信の品質指示情報を指定し、
前記データ処理中継装置のデータ処理部は、前記クライアント装置への通信経路上の他の中継装置に対し、前記通信品質指示情報に従った通信品質指示を行う手段を備え、
前記他の中継装置は、前記通信品質指示に従った中継処理を行う
ことを特徴とするサービスシステム。
【請求項１９】
請求項１ないし請求項４いずれか一において、さらに、
前記データ処理中継装置と通信回線にて接続され、前記サーバ装置を識別認証するためのサーバ認証情報を管理するサーバ管理サーバを備え、
前記サーバ装置の前記拡張データ生成手段は、前記データ処理制御情報に、当該サーバの認証情報を含め、
前記データ処理中継装置は、前記データ処理制御情報に含まれるサーバ装置の認証情報と、前記サーバ管理サーバに登録されたサーバ認証情報と、に従って、前記サーバ装置を認証するサーバ認証部を持ち、
前記データ処理中継装置のデータ処理部は、前記サーバ認証結果によるサーバ認証結果を用いて、前記データ処理制御情報で指定された処理を実行する
ことを特徴とするサービスシステム。
【請求項２０】
請求項５ないし請求項８いずれか一において、さらに、
前記ユーザ管理サーバは、前記サーバ装置を識別認証するためのサーバ認証情報を管理し、
前記サーバ装置の拡張データ生成手段は、前記データ処理制御情報に、当該サーバの認証情報を含め、
前記データ処理中継装置は、前記データ処理制御情報に含まれるサーバ装置の認証情報と、前記ユーザ管理サーバに登録されたサーバ認証情報と、に従って、前記サーバ装置を認証するサーバ認証部を持ち、
前記データ処理中継装置のデータ処理部は、前記サーバ認証結果によるサーバ認証結果を用いて、前記データ処理制御情報で指定された処理を実行する
ことを特徴とするサービスシステム。
【請求項２１】
請求項１９または請求項２０において、さらに、
前記データ処理中継装置と通信回線にて接続され、前記サーバ装置に対する課金情報であるサーバ課金情報を管理する課金管理装置を備え、
前記データ処理中継装置は、前記データ処理制御情報で指定され実行した処理内容に対応して、前記サーバ装置に対する課金を前記課金管理装置に送付し、
前記課金管理装置は、前記サーバ装置への課金処理を行う
ことを特徴とするサービスシステム。
【請求項２２】
請求項２において、
前記サーバ装置の拡張データ生成手段は、前記データ処理制御情報として、データの優先的格納指示情報を指定し、
前記記憶部は、あらかじめ特定の前記サーバ装置用に割り当てられた記憶領域を備え、
前記データ処理中継装置の前記データ処理部は、前記優先的格納指示情報に応じて、前記拡張データを、前記記憶部の前記特定記憶領域に格納する手段を備える
ことを特徴とするサービスシステム。